(57)【要約】【課題】電動ウォータポンプのリップシールの生産性を向上させる。【解決手段】モータシャフト２５にスリーブ４０を装着し、このスリーブ４０の外周面にリップシール５０を接触させることにより、ポンプ部側とモータ部側とを水密に密閉する。これにより、普通許容差の基準となる寸法、つまりリップシール５０の内径寸法Ｄ１が従来型ポンプにおけるリップシール５０の内径寸法より大きくなるので、公差も基準寸法の拡大に応じて拡大する。したがって、普通許容差の等級を高く維持しながら公差を大きくすることができるので、リップシール５０の製造工数を低減することができる。延いては、リップシール５０の生産性が向上するので、ポンプ１の製造原価低減を図ることができる。【選択図】　　　　図２
2004011420.tif 000002
【特許請求の範囲】
【請求項１】
回転するインペラ（１１）を有し、流体を吸引吐出するポンプ部（１０）と、
前記インペラ（１１）に連結されたシャフト（２５）を回転させる駆動部（２０）と、
前記シャフト（２５）の外周側を覆うように前記シャフト（２５）に装着され、外周面が円周状に形成されたスリーブ（４０）と、
前記スリーブ（４０）の外周面と摺動可能に接触し、前記ポンプ部（１０）側と前記駆動部（２０）側とを密閉するリップシール（５０）とを備えることを特徴とするポンプ。
【請求項２】
前記スリーブ（４０）の外周面には、外周面から陥没した凹部（４１）が設けられていることを特徴とする請求項１に記載のポンプ。
【請求項３】
前記スリーブ（４０）と前記インペラ（１１）とは一体成形されていることを特徴とする請求項１又は２に記載のポンプ。
【発明の詳細な説明】
【０００１】
【発明の属する技術分野】
本発明は、ポンプ部とポンプ部を駆動する駆動部とが一体化されたポンプに関するもので、駆動部として電動モータを有するウォータポンプに適用して有効である。
【０００２】
【従来の技術及び発明が解決しようとする課題】
特開平１０−１６９７８７号公報に記載のウォータポンプでは、インペラを回転させるシャフトの外周面にゴム製のリップシールを摺動可能に接触させてポンプ部側と駆動部側とを水密に密閉している。
【０００３】
ところで、例えばリップシールとシャフトとの接触面圧が不均一であると、ポンプ部側と駆動部側とを十分に密閉することができないので、リップシールの寸法精度、つまり普通許容差の等級（ＪＩＳ　Ｂ　０４０４等参照）を高くする必要がある。
【０００４】
しかし、等級を高くすると、リップシールの製造工数が増大するので、リップシールの生産性が低下し、ポンプの製造原価上昇を招くおそれがある。
【０００５】
本発明は、上記点に鑑み、第１には、従来と異なる新規なポンプを提供し、第２には、リップシールの生産性を向上させることを目的とする。
【０００６】
【課題を解決するための手段】
本発明は、上記目的を達成するために、請求項１に記載の発明では、回転するインペラ（１１）を有し、流体を吸引吐出するポンプ部（１０）と、インペラ（１１）に連結されたシャフト（２５）を回転させる駆動部（２０）と、シャフト（２５）の外周側を覆うようにシャフト（２５）に装着され、外周面が円周状に形成されたスリーブ（４０）と、スリーブ（４０）の外周面と摺動可能に接触し、ポンプ部（１０）側と駆動部（２０）側とを密閉するリップシール（５０）とを備えることを特徴とする。
【０００７】
従来型のポンプでは、後述する図３に示すように、リップシール（５０）はシャフト（２５）の外周面に接触していたため、従来型ポンプのリップシール（５０）の内径寸法Ｄ２は、本発明に係るリップシール（５０）の内径寸法より小さくなってしまう。
【０００８】
このため、仮に、従来型ポンプにおけるリップシール（５０）の内径寸法Ｄ２の等級（ＪＩＳ　Ｂ　０４０４等参照）と、本発明に係るリップシール（５０）の内径寸法の等級とを同じとしてリップシール（５０）の寸法精度を同レベルとしても、本発明では、普通許容差の基準となる寸法、つまりリップシール（５０）の内径寸法が従来型ポンプにおけるリップシール（５０）の内径寸法Ｄ２より大きくなるので、公差も基準寸法の拡大に応じて拡大する。
【０００９】
したがって、普通許容差の等級を高く維持しながら公差を大きくすることができるので、リップシール（５０）の製造工数を低減することができる。延いては、リップシール（５０）の生産性が向上するので、従来と異なる新規なポンプを得ることできるとともに、ポンプの製造原価低減を図ることができる。
【００１０】
請求項２に記載の発明では、スリーブ（４０）の外周面には、外周面から陥没した凹部（４１）が設けられていることを特徴とする。
【００１１】
これにより、異物を凹部（４１）にて捕集することができる。したがって、異物がリップシール（５０）とスリーブ（４０）との間に入り込みリップシール（５０）が損傷してしまうことを防止できるので、ポンプの耐久性を向上させることができる。
【００１２】
請求項３に記載の発明では、スリーブ（４０）とインペラ（１１）とは一体成形されていることを特徴とする。
【００１３】
これにより、ポンプの構成部品及び組み立て工数を従来と同一とすることができる。
【００１４】
因みに、上記各手段の括弧内の符号は、後述する実施形態に記載の具体的手段との対応関係を示す一例である。
【００１５】
【発明の実施の形態】
（第１実施形態）
本実施形態は、本発明に係るポンプを内燃機関とラジエータとの間に冷却水を循環させる電動式のポンプに適用したものである。そして、図１は本実施形態に係るポンプ１の断面図であり、図２は本実施形態に係るポンプ１の特徴部を示す拡大断面図である。
【００１６】
図１中、ポンプ部１０は、インペラ１１をケーシング１２内で回転させることにより、冷却水を吸引吐出するターボポンプ（ＪＩＳ　Ｂ　０１３１等参照）であり、モータ部２０はインペラ１１を回転させる電動式モータが構成された駆動部である。
【００１７】
ここで、モータ部２０は、永久磁石にて構成されたステータ２２、ステータ２２内で回転するロータ２３、ロータ２３に電力を供給するブラシ及びコンミテータ等からなる給電部２４及びこれら２２〜２４を収納するモータケーシング２１等からなるものである。
【００１８】
そして、ロータ２３を支持するモータシャフト２５は、図２に示すように、ポンプ部１０とモータ部２０とを仕切る仕切壁３０を貫通してインペラ１１に圧入されて連結されている。
【００１９】
なお、本実施形態では、モータシャフト２５の先端側断面形状を略Ｄ字状とすることにより、確実にモータシャフト２５からインペラ１１にトルクが伝達されるようにしている。
【００２０】
また、スリーブ４０は、モータシャフト２５の外周側を覆うようにモータシャフト２５に装着された少なくとも外周面が円周状に形成された略円筒状のものであり、本実施形態では、樹脂にてインペラ１１と共に一体成形されている。
【００２１】
そして、スリーブ４０の外周面には、ポンプ部１０側とモータ部２０側とを水密に密閉するリップシール５０が摺動可能に接触しており、このリップシール５０はゴム等の弾性変形可能な弾性材（本実施形態では、ＥＰＤＭ）からなるパッキンの一種である。
【００２２】
また、スリーブ４０の外周面のうちリップシール５０よりポンプ部１０側、つまりインペラ１１側には、外周面から陥没した凹部４１がスリーブ４０の外周面全域に渡って溝状に形成されている。
【００２３】
次に、本実施形態の作用効果を述べる。
【００２４】
図３はスリーブ４０が無い従来型のポンプを示しており、従来型のポンプではリップシール５０はモータシャフト２５の外周面に接触してポンプ部１０側とモータ部２０側とを水密に密閉していたため、従来型ポンプのリップシール５０の内径寸法Ｄ２は、本実施形態に係るリップシール５０の内径寸法Ｄ１より小さくなってしまう。
【００２５】
なお、リップシール５０の内径寸法Ｄ１とは、図２、３に示すように、本実施形態ではリップシール５０のうちスリーブ４０の外周面と接触する部位の寸法を言い、従来型ポンプにおけるリップシール５０の内径寸法Ｄ２ではリップシール５０のうちモータシャフト２５の外周面と接触する部位の寸法を言う。
【００２６】
このため、仮に、従来型ポンプにおけるリップシール５０の内径寸法Ｄ２の等級（ＪＩＳ　Ｂ　０４０４等参照）と、本実施形態に係るリップシール５０の内径寸法の等級とを同じとしてリップシール５０の寸法精度を同レベルとしても、本実施形態では、普通許容差の基準となる寸法、つまりリップシール５０の内径寸法Ｄ１が従来型ポンプにおけるリップシール５０の内径寸法Ｄ２より大きくなるので、公差も基準寸法の拡大に応じて拡大する。
【００２７】
したがって、普通許容差の等級を高く維持しながら公差を大きくすることができるので、リップシール５０の製造工数を低減することができる。延いては、リップシール５０の生産性が向上するので、ポンプ１の製造原価低減を図ることができる。
【００２８】
なお、モータシャフト２５の直径を拡大することにより、リップシール５０の内径寸法Ｄ２を拡大すると言った手段が考えられるが、この手段では、モータ部２０の外形寸法の拡大及び汎用品のモータを使用することができない等の問題があるため、得策とは言えない。
【００２９】
また、スリーブ４０の外周面に凹部４１が設けられているので、冷却水と共にポンプ部１０内に流入した異物を凹部４１にて捕集することができる。したがって、異物がリップシール５０とスリーブ４０との間に入り込みリップシール５０が損傷してしまうことを防止できるので、ポンプ１の耐久性を向上させることができる。
【００３０】
なお、本実施形態では、凹部４１がスリーブ４０の外周面全域に渡って溝状に形成されていたが、本実施形態はこれに限定されるものではなく、外周面に点在するように離散的に凹部４１を設けてもよい。
【００３１】
また、インペラ１１とスリーブ４０とを一体化しているので、ポンプ１の構成部品及び組み立て工数を従来と同一とすることができる。
【００３２】
（第２実施形態）
上述の実施形態では、インペラ１１とスリーブ４０とを一体化していたが、本実施形態は、図４に示すように、インペラ１１とスリーブ４０とを別体としたものである。
【００３３】
なお、本実施形態では、インペラ１１とスリーブ４０との間に発生する隙間４１ａが異物を捕集する凹部４１として機能するので、凹部４１を廃止しても第１実施形態と同様に、異物がリップシール５０とスリーブ４０との間に入り込みリップシール５０が損傷してしまうことを防止できる。
【００３４】
（第３実施形態）
第１実施形態では、インペラ１１とスリーブ４０とを一体化してスリーブ４０に凹部４１を設けていたが、本実施形態は、図５に示すように、凹部４１を廃止したものである。
【００３５】
（その他の実施形態）
上述の実施形態では、本発明に係るポンプを内燃機関とラジエータとの間に冷却水を循環させる電動式のポンプに本発明を適用したが、本発明はこれに限定されるものではなく、その他のポンプにも適用することができる。
【００３６】
また、上述の実施形態では、スリーブ４０の外周面のうちリップシール５０よりポンプ部１０側に凹部４１を設けたが、本発明はこれに限定されるものではなく、モータ部２０側にも設けてもよい。
【図面の簡単な説明】
【図１】本発明の第１実施形態に係るポンプの片側断面図である。
【図２】本発明の第１実施形態に係るポンプの特徴部を示す拡大断面図である。
【図３】従来の技術に係るポンプの特徴部を示す拡大断面図である。
【図４】本発明の第２実施形態に係るポンプの特徴部を示す拡大断面図である。
【図５】本発明の第３実施形態に係るポンプの特徴部を示す拡大断面図である。
【符号の説明】
１１…インペラ、２５…モータシャフト、４０…スリーブ、
５０…リップシール５０。
【図１】
2004011420.tif 000003
【図２】
2004011420.tif 000004
【図３】
2004011420.tif 000005
【図４】
2004011420.tif 000006
【図５】
2004011420.tif 000007